(57)【要約】【課題】１台の装置を家族で兼用する。【解決手段】被写体を撮影する撮影部１３を備えるデジタルカメラ２であって、該デジタルカメラの使用者の年齢層を認識する認識部４と、前記認識部による認識結果に基づいて、該デジタルカメラの機能を使用者の年齢層に適した機能に移行する制御部４とを備える。【選択図】図１
2014022794.tif 000002
【特許請求の範囲】
【請求項１】
被写体を撮影する撮影部を備えるデジタルカメラであって、
該デジタルカメラの使用者の年齢層を認識する認識部と、
前記認識部による認識結果に基づいて、該デジタルカメラの機能を使用者の年齢層に適した機能に移行する制御部と
を備えることを特徴とするデジタルカメラ。
【請求項２】
該デジタルカメラの使用者を撮影する使用者撮影部を備え、
前記認識部は、前記使用者撮影部により撮影された画像の画像データに基づいて使用者の年齢層を認識することを特徴とする請求項１記載のデジタルカメラ。
【請求項３】
前記認識部は、前記使用者が子供であるか否かを認識し、
前記制御部は、前記使用者が子供である場合に、該デジタルカメラの機能を子供用機能に移行することを特徴とする請求項１または２記載のデジタルカメラ。
【請求項４】
前記子供用機能に移行された場合において、前記撮影部における撮影時のシャッター速度を前記子供用機能に移行されていない場合のシャッター速度よりも速いシャッター速度に変更するシャッター制御部を備えることを特徴とする請求項３記載のデジタルカメラ。
【請求項５】
前記撮影部による撮影時に装置本体から突出するレンズ鏡筒と、
前記子供用機能に移行された場合において、前記撮影部による撮影が終了した後に前記レンズ鏡筒を前記装置本体内に収納する鏡筒駆動部と
を備えることを特徴とする請求項３または４記載のデジタルカメラ。
【請求項６】
該デジタルカメラの操作に必要な表示画面を表示する表示部と、
前記子供用機能に移行された場合において、前記表示画面を子供用の画面に変更する表示制御部と
を備えることを特徴とする請求項３〜５の何れか一項に記載のデジタルカメラ。
【請求項７】
前記表示制御部は、前記子供用機能に移行された場合において、前記表示画面に含まれる漢字をひらがなに変更することを特徴とする請求項６記載のデジタルカメラ。
【請求項８】
前記認識部は、前記使用者が高齢者であるか否かを認識し、
前記制御部は、前記使用者が高齢者である場合に、該デジタルカメラの機能を高齢者用機能に移行することを特徴とする請求項１または２記載のデジタルカメラ。
【請求項９】
前記高齢者用機能に移行された場合において、前記撮影部における撮影時のシャッター速度を前記高齢者用機能に移行されていない場合のシャッター速度よりも速いシャッター速度に変更するシャッター制御部を備えることを特徴とする請求項８記載のデジタルカメラ。
【請求項１０】
前記撮影部による撮影時に装置本体から突出するレンズ鏡筒と、
前記高齢者用機能に移行された場合において、前記撮影部による撮影が終了した後に前記レンズ鏡筒を前記装置本体内に収納する鏡筒駆動部と
を備えることを特徴とする請求項８または９記載のデジタルカメラ。
【請求項１１】
該デジタルカメラの操作に必要な表示画面を表示する表示部と、
前記高齢者用機能に移行された場合において、前記表示画面を高齢者用の画面に変更する表示制御部と
を備えることを特徴とする請求項８〜１０の何れか一項に記載のデジタルカメラ。
【請求項１２】
前記表示制御部は、前記高齢者用機能に移行された場合において、前記表示画面に含まれる文字のフォントを大きくすることを特徴とする請求項１１記載のデジタルカメラ。
【請求項１３】
前記子供用機能または前記高齢者用機能における機能の内容を設定する設定部を備えることを特徴とする請求項３〜１２の何れか一項に記載のデジタルカメラ。
【請求項１４】
前記撮影部により撮影された撮影画像の撮影画像データを記憶する画像記憶部と、
使用者の顔の画像の顔画像データを予め記憶する個人情報記憶部と、
前記使用者撮影部により撮影された画像の画像データと個人情報記憶部に記憶されている前記顔画像データとを用いて現在の使用者を特定する特定部と、
前記特定部により前記現在の使用者が新たに特定された場合に前記画像記憶部内に前記現在の使用者専用のフォルダを作成する作成部と
を備えることを特徴とする請求項２〜１３の何れか一項に記載のデジタルカメラ。
【発明の詳細な説明】
【技術分野】
【０００１】
本発明は、デジタルカメラに関するものである。
【背景技術】
【０００２】
従来、利用者を認識し、認識した利用者の好みに応じて表示部の表示を切換える電子機器が知られている（例えば、特許文献１参照）。
【先行技術文献】
【特許文献】
【０００３】
【特許文献１】特開２００６−１００８８１号公報
【発明の概要】
【発明が解決しようとする課題】
【０００４】
ところで、この電子機器においては、子供や高齢者を対象とした使い勝手は考慮されておらず、１台の装置を家族で兼用することが困難であった。
【０００５】
本発明の目的は、１台の装置を家族で兼用することができるデジタルカメラを提供することである。
【課題を解決するための手段】
【０００６】
本発明のデジタルカメラは、被写体を撮影する撮影部を備えるデジタルカメラであって、該デジタルカメラの使用者の年齢層を認識する認識部と、前記認識部による認識結果に基づいて、該デジタルカメラの機能を使用者の年齢層に適した機能に移行する制御部と
を備えることを特徴とする。
【発明の効果】
【０００７】
本発明のデジタルカメラによれば、１台の装置を家族で兼用することができる。
【図面の簡単な説明】
【０００８】
【図１】実施の形態に係るデジタルカメラの構成を示すブロック図である。
【図２】実施の形態に係るデジタルカメラにおける初期登録の処理を示すフローチャートである。
【図３】実施の形態に係るデジタルカメラの撮影処理を示すフローチャートである。
【図４】実施の形態に係るデジタルカメラにおけるフルスペックモードの撮影処理を示すフローチャートである。
【図５】実施の形態に係るデジタルカメラにおけるキッズモードの撮影処理を示すフローチャートである。
【発明を実施するための形態】
【０００９】
以下、図面を参照して本発明の実施の形態に係るデジタルカメラについて説明する。図１は、実施の形態に係るデジタルカメラ２の構成を示すブロック図である。デジタルカメラ２は、ＣＰＵ４を備え、ＣＰＵ４には、図示しない電源ボタンやレリーズボタンを含む操作部６、ＬＣＤ表示部８の表示制御を行う表示制御部１０、ＬＣＤ表示部８に表示されるアイコンが指等でタッチされたことを検出するタッチパネル１２、被写体を撮影するため撮影用カメラ１３、図示しないレンズ鏡筒を駆動する鏡筒駆動部１４、デジタルカメラ２の使用者の顔を撮影するための対面カメラ１６、撮影用カメラ１３及び対面カメラ１６により撮影された画像の画像データを一時的に記憶する画像記憶部１８、タッチパネル１２の操作により入力された情報を記憶する情報記憶部１９、対面カメラ１６により撮影された画像から人の顔を認識する顔認識部２０、使用者の顔の特徴や年齢等の個人情報を記憶する個人情報記憶部２２、ＣＰＵ４が実行する撮影処理等のプログラムを格納するプログラムメモリ２３、及び画像データを記憶するメモリカード２４を装着するメモリカードスロット２６が接続されている。
【００１０】
次に、図２に示すフローチャートを参照して、実施の形態に係るデジタルカメラ２の使用者を初めに登録（以下、初期登録という。）する処理について説明する。まず、初期登録を開始するための操作が行われると（ステップＳ１）、ＣＰＵ４は、ＬＣＤ表示部８において「使用者の初期登録を行います。」等のメッセージを表示する。次に、ＣＰＵ４は、対面カメラ１６により、このメッセージを注視している使用者の顔を撮影し（ステップＳ２）、使用者の顔の画像の画像データ（以下、顔画像データという。）を画像記憶部１８に記憶する。
【００１１】
次に、ＣＰＵ４は、ＬＣＤ表示部８において「撮影された使用者の名前と年齢を入力してください。」等のメッセージを表示した後、所定の入力用画面を表示する。そして、使用者のタッチパネル１２操作により、所定の入力用画面を介して名前と年齢が入力される（ステップＳ３）。例えば、使用者が本人である場合、「タロウ、３０歳」のように入力される。ここで、入力された名前と年齢に関する情報は情報記憶部１９に記憶される。
【００１２】
次に、ＣＰＵ４は、画像記憶部１８から顔画像データを読み出し、顔認識部２０により、顔画像データから顔の特徴情報（例えば、顔全体の大きさに対する目や鼻の大きさや位置などの情報）を抽出する。次に、ＣＰＵ４は、情報記憶部１９から使用者の名前と年齢に関する情報を読み出し、顔の特徴情報に名前と年齢を付加した情報ファイルを個人情報記憶部２２に記憶する（ステップＳ４）。また、ＣＰＵ４は、撮影された画像の画像データを使用者ごとに記憶するためのフォルダをメモリカード２４内に作成する。例えば、使用者が本人である場合、「タロウ」というフォルダ名のフォルダをメモリカード２４内に作成する（ステップＳ５）。
【００１３】
次に、ＬＣＤ表示部８において「他の使用者も登録しますか。」等の表示を行った後、「する／しない」等の選択画面を表示する（ステップＳ６）。「いいえ」が選択された場合（ステップＳ６：Ｎｏ）、ＣＰＵ４は、初期登録における一連の処理を終了する。一方、「はい」が選択された場合（ステップＳ６：Ｙｅｓ）、ＣＰＵ４は、初期登録の処理を続行する。この場合、既に初期登録を完了した本人以外の家族にデジタルカメラ２が手渡された後、ステップＳ２〜Ｓ６の処理が繰り返される。例えば、妻にデジタルカメラ２が手渡されて初期登録が行われ、妻の初期登録完了後、娘にデジタルカメラ２が手渡されて娘についての初期登録が行われる。これにより、妻と娘の情報ファイルが個人情報記憶部２２に記憶され、妻用及び娘用のフォルダがメモリカード２４内に作成される。
【００１４】
次に、図３に示すフローチャートを参照して実施の形態に係るデジタルカメラ２の撮影処理について説明する。まず、電源がオンにされると（ステップＳ１１）、ＣＰＵ４は、対面カメラ１６により、デジタルカメラ２を操作している使用者の顔を撮影し（ステップＳ１２）、撮影した画像の画像データを画像記憶部１８に一旦記憶する。次に、ＣＰＵ４は、画像記憶部１８から画像データを読み出した後、顔認識部２０により画像データに基づく画像から人の顔の形状を検出し、検出した顔の特徴情報を抽出する（ステップＳ１３）。
【００１５】
次に、ＣＰＵ４は、個人情報記憶部２２から各情報ファイルに含まれる顔の特徴情報を読み出して、検出した顔の特徴情報と各情報ファイルに含まれる顔の特徴情報と照合し、顔の特徴情報が一致した人物を使用者として特定する（ステップＳ１４）。例えば、個人情報記憶部２２に本人、妻及び娘の情報ファイルが記憶されている場合において、検出した顔の特徴情報が本人の情報ファイルに含まれる顔の特徴情報と一致した場合、本人を使用者として特定する。
【００１６】
ここで、使用者が特定できない場合（ステップＳ１５：Ｎｏ）、ＣＰＵ４は、撮影処理を終了する。一方、使用者が特定できた場合（ステップＳ１５：Ｙｅｓ）、ＣＰＵ４は、特定した使用者が子供であるか否かの判定を行う（ステップＳ１６）。ここで、子供であるか否かの判定は、特定した使用者の個人情報が記憶されている情報ファイルから年齢情報を読み出し、年齢が例えば８歳未満であるか否かを判定することにより行う。
【００１７】
使用者が子供でない場合（ステップＳ１６：Ｎｏ）、ＣＰＵ４は、デジタルカメラ２の機能を特に限定しない通常の撮影モードであるフルスペックモードに移行し（ステップＳ１７）、フルスペックモードで撮影処理を行う（ステップＳ１８）。一方、使用者が子供である場合（ステップＳ１６：Ｙｅｓ）、ＣＰＵ４は、子供が操作を行い易いようにデジタルカメラ２の機能を限定するキッズモードに移行し（ステップＳ１９）、キッズモードで撮影処理を行う（ステップＳ２０）。
【００１８】
次に、図４に示すフローチャートを参照して、実施の形態のデジタルカメラ２におけるフルスペックモードの撮影処理（ステップＳ１８）について説明する。まず、フルスペックモードに移行すると、ＣＰＵ４は、鏡筒駆動部１４により、レンズ鏡筒３０をデジタルカメラ２の図示しない筐体から突出させる（ステップＳ３２）。次に、ＣＰＵ４は、撮影用カメラ１３によりスルー画像の撮影を開始し、ＬＣＤ表示部８にスルー画像を表示する（ステップＳ３３）。
【００１９】
ここで、使用者によりレリーズボタンが半押しされると（ステップＳ３４）、ＣＰＵ４は、撮影用カメラ１３に備えられる図示しない撮像素子から出力される撮像信号に基づいて、適正露出が得られるようにシャッター速度及び絞り値を決定する（ステップＳ３５）。
【００２０】
次に、使用者によりレリーズボタンが全押しされると（ステップＳ３６）、ＣＰＵ４は、撮影用カメラ１３による被写体の撮影を行い（ステップＳ３７）、撮影した画像の画像データを画像記憶部１８に一旦記憶した後、メモリカード２６内の使用者用のフォルダに記憶する（ステップＳ３８）。例えば、本人によって撮影が行われた場合には、メモリカード２６内の本人用のフォルダに撮影された画像の画像データを記憶する。
【００２１】
次に、ＣＰＵ４は、電源をオフにするための操作がなされたか否かの判定を行う（ステップＳ３９）。電源をオフにするための操作が行われていない場合（ステップＳ３９：Ｎｏ）、ステップＳ３３の処理に戻り、ステップＳ３３〜３９の処理を繰り返す。一方、電源をオフにするための操作が行われた場合（ステップＳ３９：Ｙｅｓ）、ＣＰＵ４は、鏡筒駆動部１４によりレンズ鏡筒３０を筐体内に沈胴させ（ステップＳ４０）、デジタルカメラ２の電源をオフにして一連の処理を終了する。
【００２２】
次に、図５に示すフローチャートを参照して、実施の形態のデジタルカメラ２におけるキッズモードの撮影処理（ステップＳ２０）について説明する。まず、キッズモードに移行すると、ＣＰＵ４は、鏡筒駆動部１４により、レンズ鏡筒３０を筐体から突出させた後（ステップＳ５２）、撮影用カメラ１３によりスルー画像の撮影を開始し、ＬＣＤ表示部８にスルー画像を表示する（ステップＳ５３）。
【００２３】
次に、使用者によりレリーズボタンが半押しされると（ステップＳ５４）、ＣＰＵ４は、撮像素子から出力される撮像信号に基づいて、シャッター速度及び絞り値を決定する（ステップＳ５５）。ここで、シャッター速度は、フルスペックモードにおいて決定されるシャッター速度よりも、例えば、シャッター速度１段分速くなるように決定される。また、絞り値は、シャッター速度を速くした分小さな値になるように決定される。これにより、子供がデジタルカメラ２を操作した場合においても振れの少ない画像を撮影することができる。
【００２４】
次に、使用者によりレリーズボタンが全押しされると（ステップＳ５７）、ＣＰＵ４は、撮影用カメラ１３による被写体の撮影を行い（ステップＳ５８）、撮影した画像の画像データを画像記憶部１８に一旦記憶した後、メモリカード２６内の使用者用のフォルダに記憶する（ステップＳ５９）。例えば、本人の娘によって撮影が行われた場合には、メモリカード２６内の娘用のフォルダに撮影された画像の画像データを記憶する。
【００２５】
次に、ＣＰＵ４は、撮影用カメラ１３により最後に撮影が行われてから予め設定されている所定時間が経過したか否かの判定を行う（ステップＳ６０）。所定時間が経過していない場合（ステップＳ６０：Ｎｏ）、ステップＳ５３の処理に戻り、ステップＳ５３〜６０の処理を繰り返す。一方、所定時間が経過している場合（ステップＳ６０：Ｙｅｓ）、ＣＰＵ４は、鏡筒駆動部１４によりレンズ鏡筒３０を筐体内に沈胴させ（ステップＳ６１）、レンズ鏡筒３０を一時的に筐体内に沈胴させる待機モードに移行する（ステップＳ６２）。
【００２６】
次に、ＣＰＵ４は、レンズ鏡筒３０を筐体内に沈胴させてから所定の時間内に再度電源をオンにするための操作がなされたか否かの判定を行う（ステップＳ６３）。再度電源をオンにするための操作がなされた場合（ステップＳ６３：Ｙｅｓ）、ステップＳ５２の処理に戻り、ステップＳ５２〜６３の処理を繰り返す。一方、電源をオンにするための操作が行われない場合（ステップＳ６３：Ｎｏ）、ＣＰＵ４は、デジタルカメラ２の電源をオフにして（ステップＳ６４）、一連の処理を終了する。
【００２７】
この実施の形態に係るデジタルカメラ２によれば、使用者が大人か子供かを判定し、判定結果に基づいて使用者に適したモードに移行するため、１台のデジタルカメラ２を親子で兼用することができる。これにより、子供用のカメラを購入する必要がなくなり、費用を節約することが可能である。また、キッズモードにおいては、撮影後にレンズ鏡筒３０を筐体内に沈胴させるため、子供がデジタルカメラ２を落下させた場合等において、撮影用カメラ１３の故障を防止することができる。また、撮影した画像の画像データが撮影者用のフォルダに記憶されるため、撮影後における画像データの整理を容易に行うことができる。
【００２８】
なお、上述の実施の形態において、ＬＣＤ表示部８に表示される画面として子供用の画面を用意するようにしてもよい。そして、フルスペックモードにおいては通常の画面を表示し、キッズモードにおいては子供用の画面を表示する。例えば、キッズモードにおいては、メニュー画面や選択画面等の画面に含まれる漢字をひらがなに置き換えて表示する。また、キッズモードにおいて子供用の選択画面等を表示する場合には、通常の画面よりも選択の候補を少なくし、アイコン等を大きく表示する。これにより、子供でも容易にデジタルカメラ２を操作することができる。
【００２９】
また、上述の実施の形態において、使用者が高齢者であるか否かを判定するようにし、使用者が高齢者である場合には、高齢者用モードに移行するようにしてもよい。そして、高齢者用モードに移行した場合は、キッズモードに移行した場合の処理と同様に、撮影時のシャッター速度をフルスペックモードのシャッター速度よりも早い速度に決定し、撮影終了後にレンズ鏡筒を沈胴させる。これにより、高齢者でも容易にデジタルカメラ２を操作することができる。また、デジタルカメラ２をより広いターゲット層に提供することが可能となる。
【００３０】
また、高齢者モードにおいて高齢者用の画面を表示するようにしてもよい。そして、選択画面等を表示する場合、キッズモードと同様に通常の画面よりも選択の候補を少なくし、アイコン等を大きく表示するようにしてもよい。なお、使用者が高齢者である場合には、メニュー画面や選択画面等において、ＬＣＤ表示部８に表示される文字のフォントを大きくし、文字を読み易くするようにしてもよい。
【００３１】
また、上述の実施の形態において、顔認識部２０に年齢認識機能を備え、対面カメラ１６により撮影した画像の画像データから直接画像に含まれる人物が大人か子供かを認識するようにしてもよい。これにより、初期登録を行わなくても使用者の年齢層に合わせてフルスペックモードまたはキッズモードへ移行させることができる。
【００３２】
また、上述の実施の形態において、撮影処理が終了して電源がオフにされた際に、電源オフ時のモードがフルスペックモードまたはキッズモードの何れであったかを情報記憶部１９に記憶するようにしてもよい。そして、再び電源がオンにされた時に電源オフ時のモードでデジタルカメラ２を起動するようにしてもよい。これにより、速やかにデジタルカメラ２を起動させることができる。また、この場合、電源オフ時のモードでデジタルカメラ２を起動した後に、「このモードで操作を続けますか？」等のメッセージをＬＣＤ表示部８に表示した後、「はい／いいえ」等の選択画面を表示するようにしてもよい。そして、「いいえ」が選択された場合、顔認識処理により使用者の特定を行い、使用者の年齢に基づいてモードの移行処理を行うようにしてもよい。
【００３３】
また、上述の実施の形態においては、顔認識を行うことにより使用者を特定しているが、他の手段を用いて使用者を特定するようにしてもよい。例えば、指紋を認識する指紋センサを備え、また、各使用者の指の指紋データを名前や年齢に関する情報と共に個人情報記憶部４０に予め記憶しておく。そして、使用者が指紋センサ４２に触れると、ＣＰＵ４は、指紋の検出を行うと共に、個人情報記憶部４０から予め記憶されている指紋データを読み出して、指紋センサ４２において検出された指と指紋データに基づく指紋とを照合する。そして、指紋が一致した人物を使用者として特定する。なお、この場合、指の指紋に代えて、手のひらの紋様を認識するようにしてもよい。また、眼の虹彩パターンや網膜の毛細血管のパターンを認証する生体認証技術を用いて使用者を特定するようにしてもよい。
【００３４】
また、上述の実施の形態においては、キッズモードにおける処理の内容が予め設定されている場合を例に説明しているが、キッズモードにおける処理の内容を使用者（子供の両親等）が任意に設定できるようにしてもよい。例えば、キッズモードに移行した場合、撮影後にレンズ鏡筒３０を筐体内に沈胴させる設定のみを行い、それ以外はフルスペックモードの処理と同様の処理が行われるように設定してもよい。また、キッズモードに移行した場合には、所定の操作部材を操作できないようにロックしてもよい。例えば、撮影モードを変更する撮影モードダイヤルをロックし、子供が撮影モードを変更できないようにしてもよい。また、高齢者モードにおける処理の内容を使用者（高齢者の家族等）が任意に設定できるようにしてもよい。
【００３５】
また、上述の実施の形態においては、使用者の性別を判定し、性別に応じて異なるモードに移行するようにしてもよい。
【符号の説明】
【００３６】
２…デジタルカメラ、４…ＣＰＵ、６…操作部、８…ＬＣＤ表示部、１２…タッチパネル、１３…撮影用カメラ、１４…鏡筒制御部、１６…対面カメラ、１８…画像記憶部、１９…情報記憶部、２０…顔認識部、２２…個人情報記憶部、２３…プログラムメモリ、２４……メモリカード、２６…メモリカードスロット
【図１】
2014022794.tif 000003
【図２】
2014022794.tif 000004
【図３】
2014022794.tif 000005
【図４】
2014022794.tif 000006
【図５】
2014022794.tif 000007